(57)【要約】【課題】複層ガラス体のガラス板の内面に結露しても曇るおそれがなく、また複層ガラス体の内部空間の気密を保つ必要がないためにコスト的に安価にできると共にガラス板の膨張割れを生じるおそれがない天窓の構造を提供する。【解決手段】上下の平行な一対のガラス板１をガラス板１の周囲間にスペーサ２を介して一体化した複層ガラス体３の周縁を支持枠４の上に載置すると共に複層ガラス体３を介して支持枠４の上に載置した押さえ枠５ａとの間に複層ガラス体３の周縁を挟持してガラス窓体５を形成し、屋根面の開口の周縁に立ち上げた立ち上げ枠６にガラス窓体５を装着した天窓である。これにおいて、複層ガラス体３の内部空間７に面するガラス板１の内面に超親水処理面８を形成する。【選択図】　　　　図１
2004075436.tif 000002
【特許請求の範囲】
【請求項１】
上下の平行な一対のガラス板をガラス板の周囲間にスペーサを介して一体化した複層ガラス体の周縁を支持枠の上に載置すると共に複層ガラス体を介して支持枠の上に載置した押さえ枠との間に複層ガラス体の周縁を挟持してガラス窓体を形成し、屋根面の開口の周縁に立ち上げた立ち上げ枠にガラス窓体を装着した天窓において、複層ガラス体の内部空間に面するガラス板の内面に超親水処理面を形成したことを特徴とする天窓の構造。
【請求項２】
複層ガラス体の一対のガラス板間のスペーサのうち少なくとも水下側に位置するスペーサに空気や水分が出入りできる溝部を形成したことを特徴とする請求項１記載の天窓の構造。
【請求項３】
水下側で支持枠と押さえ枠との間に外部に排水するための排水路を前記溝部に連通するように形成したことを特徴とする請求項２記載の天窓の構造。
【発明の詳細な説明】
【０００１】
【発明の属する技術分野】
本発明は、屋根に採光のために設けた天窓でガラス板の曇り止めをする構造に関するものである。
【０００２】
【従来の技術】
一般に採光のための天窓は、上下の平行な一対のガラス板をガラス板の周囲間にスペーサを介して一体化した複層ガラス体の周縁を支持枠の上に載置すると共に複層ガラス体を介して支持枠の上に載置した押さえ枠との間に複層ガラス体の周縁を挟持してガラス窓体を形成し、屋根面の開口の周縁に立ち上げた立ち上げ枠にガラス窓体を装着して形成してあった。複層ガラス体の周囲のスペーサはシールするように介装してあり、複層ガラス体の内部空間の気密性を保ってある。またスペーサには乾燥剤を装填してあり、乾燥剤にて複層ガラス体内の内部空間を乾燥できるようになっている。
【０００３】
【発明が解決しようとする課題】
上記の構造の天窓の複層ガラス体では内部空間の気密を保ってあると共に乾燥剤で乾燥しているために内部空間に水分がなくて結露して曇ったりすることがないが、経年により気密を保つためのシールが劣化してくると、内部に湿気が浸入することが起こりやすく、複層ガラス体のガラス板の内部空間側の内面に結露して曇るおそれがあるという問題がある。また複層ガラスの内部空間の気密を保つためにシールする必要があり、またスペーサに内部空間を乾燥するための乾燥剤を装填する必要があり、構造的に複雑になってコストがかかるという問題がある。また上記のように複層ガラス体の内部空間の気密を保ってあると、気圧の低い地域で設置したり、高温に晒されるところに設置したりしたとき、内部空間の空気層が膨張し、ガラス板が膨張割れを発生するおそれがある。
【０００４】
本発明は上記の点に鑑みてなされたものであり、複層ガラス体のガラス板の内面に結露しても曇るおそれがなく、また複層ガラス体の内部空間の気密を保つ必要がないためにコスト的に安価にできると共にガラス板の膨張割れを生じるおそれがない天窓の構造を提供することを課題とする。
【０００５】
【課題を解決するための手段】
上記課題を解決するための本発明の天窓の構造は、上下の平行な一対のガラス板１をガラス板１の周囲間にスペーサ２を介して一体化した複層ガラス体３の周縁を支持枠４の上に載置すると共に複層ガラス体３を介して支持枠４の上に載置した押さえ枠５ａとの間に複層ガラス体３の周縁を挟持してガラス窓体５を形成し、屋根面の開口の周縁に立ち上げた立ち上げ枠６にガラス窓体５を装着した天窓において、複層ガラス体３の内部空間７に面するガラス板１の内面に超親水処理面８を形成したことを特徴とする。ガラス板１の内面に超親水処理面８を設けたことにより、複層ガラス体３の内部空間７内の水分がガラス板１の内面に結露しても水を弾かなくなり、表面に水滴が形成されずに一様な水膜となり、ガラス板１が曇らなくなる。このように内部空間７内に水分があっても結露して曇ることがないために気密的にシールしたり乾燥剤を装填したりする必要がなくてコスト的に安価にでき、またガラス板１の膨張割れを生じたりするおそれがない。
【０００６】
また複層ガラス体３の一対のガラス板１間のスペーサ２のうち少なくとも水下側に位置するスペーサ２に空気や水分が出入りできる溝部９を形成したことを特徴とすることも好ましい。ガラス板１に結露した水を溝部９を介して複層ガラス体３の外に排水できる。また溝部９を介して内部空間に通気することで内部の乾燥ができる。
【０００７】
また水下側で支持枠４と押さえ枠５ａとの間に外部に排水するための排水路１０を前記溝部９に連通するように形成したことを特徴とすることも好ましい。ガラス板１に結露した水を溝部９、排水路１０を介して外部に排水することができる。
【０００８】
【発明の実施の形態】
ガラス窓体５は図１に示すように支持枠４と複層ガラス体３と押さえ枠５ａとで主体が構成されている。複層ガラス体３は上下の平行な矩形板状のガラス板１とスペーサ２とで構成されており、ガラス板１の周囲に沿って矩形枠状に配置したスペーサ２を一対のガラス板１間に介装して一体化してある。支持枠４は合成樹脂発泡体のような樹脂材製で、４つの枠材を矩形枠状に枠組みして形成してある。押さえ枠５ａはアルミニウムのような金属で形成せる枠材を矩形状に枠組みして形成されている。
【０００９】
支持枠４の上面に複層ガラス体３の周縁が載置され、複層ガラス体３の周縁上に押さえ枠５ａが載置され、支持枠４と押さえ枠５ａとを締結ボルト１１にて締結して支持枠４と押さえ枠５ａとの間に複層ガラス体３の周縁を挟持するように一体化してガラス窓体５を組み立ててある。押さえ枠５ａと複層ガラス体２の周縁の上面との間には全周に亙って防水パッキン１２を介装してシールしてあり、複層ガラス体２の周縁の下面と支持枠４の上面との間にはゴム、合成樹脂等のガラス支持材１３と発泡合成樹脂等の止水パッキン１４を全周に亙るように介装してある。
【００１０】
水勾配のある屋根面の採光用の開口の周縁には発泡合成樹脂のような樹脂製の立ち上げ枠６周方向に亙るように立設してあり、この立ち上げ枠６の上にガラス窓体５を配置してあり、ガラス窓体５の水上側の端部を立ち上げ枠６に開閉自在に装着してある。立ち上げ枠６の上端には水切り板１５を全周に亙って装着してあり、水切り板１５から一体に起立片１６を立ち上げてあって、起立片１６を全周に亙って設けてある。起立片１６の上端には全周に亙ってシールパッキン１７を装着してあり、ガラス窓体５を閉塞したとき押さえ枠５ａをシールパッキン１７に密着させて防水できるようになっている。起立片１６より内周側の位置で水切り板１５の上には排出経路１９を設けてあり、水下側に位置する起立片１６の下端には排水口１８を内外に貫通するように穿孔してあり、排出経路１９と外部とを排水口１８にて連通させてある。
【００１１】
ガラス窓体５の複層ガラス体３の一対のガラス板１の内部空間７側である内面には超親水処理面８を設けてあり、ガラス板１の内面に高い親水性を持たせてある。この超親水処理面８は高い親水性のために結露しても水滴とならなく、水膜となって曇ることがない。つまり、高い親水性のために水を弾くことなく、表面に水滴が形成されずに一様な水膜となり、曇りを防止することができる。この超親水性処理面８は特開平１０−１５２３９６号公報に開示されるように形成されるものであり、二酸化チタン結晶配向膜のようなものである。
【００１２】
複層ガラス体３のスペーサ２のうち少なくとも水下側に位置するスペーサ２には図２に示すうように空気や水分が出入りできる溝部９を内外に貫通するように設けてある。この溝部９は上下のガラス板１に対応するようにスペーサ２の上下に設けてある。本例の場合、水下側のスペーサ２の長手方向の中央の１箇所に溝部９を設けてあるが、スペーサ２の長手方向の複数箇所に設けてもよい。このように溝部９を設けてあると、ガラス板１に水膜を形成するように結露した水が溝部９を伝って複層ガラス体３の外に排水される。また溝部９を介して空気が複層ガラス体３の内外に通気されて内部を乾燥することもできる。
【００１３】
また複層ガラス体３の周縁を支持枠４と押さえ枠５ａとの間に挟持して取り付けるとき、少なくとも水下側では押さえ枠５ａの内周面と複層ガラス体３の外周面との間に間隔保持材２０を介在してある。この間隔保持材２０は樹脂製のピース材であり、間隔保持材２０を介在することで押さえ枠５ａの内周面と複層ガラス体３の外周面との間に排水用の隙間Ｓが形成される。また支持枠４の上に押さえ枠５ａを載設して取り付けられるが、押さえ枠５ａと支持枠４との間に押さえ枠５ａの長手方向の適所で内外に連通する排水路１０が形成されている。しかして、複層ガラス体３のガラス板１の内面に結露すると、この結露水が図１の矢印ａのように排水される。つまり、ガラス板１に結露した水は水勾配に沿ってガラス面を流れ、溝部９から複層ガラス体３の外に流出して隙間Ｓに入り、隙間Ｓから排水路１０を通って排出経路１９に至り、排水口１８から外部に排出される。
【００１４】
【発明の効果】
本発明の請求項１の発明は、叙述のように複層ガラス体の内部空間に面するガラス板の内面に超親水処理面を形成したので、複層ガラス体の内部空間内の水分がガラス板の内面に結露しても水を弾かなくなり、表面に水滴が形成されずに一様な水膜となり、ガラス板が曇らなくなるものであり、従来のようにシールの劣化による曇り発生のトラブルがないものであり、また内部空間内に水分があっても結露して曇ることがないために気密的にシールしたり乾燥剤を装填したりする必要がなくてコスト的に安価にでき、またガラス板の膨張割れを生じたりするおそれがないものである。
【００１５】
また本発明の請求項２の発明は、請求項１において、複層ガラス体の一対のガラス板間のスペーサのうち少なくとも水下側に位置するスペーサに空気や水分が出入りできる溝部を形成したので、ガラス板に結露した水を溝部を介して複層ガラス体の外に排水できるものであり、また溝部を介して内部空間に通気することで内部の乾燥ができるものである。
【００１６】
また本発明の請求項３の発明は、請求項１において、水下側で支持枠と押さえ枠との間に外部に排水するための排水路を前記溝部に連通するように形成したので、ガラス板に結露した水を溝部、排水路を介して外部に排水することができるものである。
【図面の簡単な説明】
【図１】本発明の実施の形態の一例の要部の断面図である。
【図２】同上のスペーサの斜視図である。
【符号の説明】
１　ガラス板
２　スペーサ
３　複層ガラス体
４　支持枠
５　ガラス窓体
６　立ち上げ枠
７　内部空間
８　超親水処理面
９　溝部
１０　排水路
【図１】
2004075436.tif 000003
【図２】
2004075436.tif 000004